(57)【要約】【課題】  発信側ユーザの通信端末に、着信側ユーザの利用可能な複数の通信手段のプレゼンス情報を優先順位付きで表示して、最適な通信手段を選択可能にする。【解決手段】  着信側ユーザの第２の電話番号に対応する着信側通信端末４において、在席、離席、話中を含む着信側ユーザの複数の状態のそれぞれに対応させて、第２の電話番号に関連して設定された複数の通信手段のそれぞれに優先順位を設定する操作を事前に行うことにより、第１の電話番号で特定される発信側ユーザと第２の電話番号で特定される着信側ユーザとの間で通信を行う際に、発信側ユーザの前記第１の電話番号に対応する発信側通信端末３に、第２の電話番号に関連して設定された複数の通信手段のプレゼンス情報を優先順位付きで表示することにより、発信側ユーザが最適な通信手段を選択し得るようにした。【選択図】図１
2006157111.tif 000002
【特許請求の範囲】
【請求項１】
第１の電話番号で特定される発信側ユーザと第２の電話番号で特定される着信側ユーザとの間で通信を行う際に、前記第２の電話番号に関連して複数の通信手段が設定されており、かつ、前記複数の通信手段の現在の状況を示すプレゼンス情報が前記発信側ユーザの前記第１の電話番号に対応する通信端末に表示されたときに前記複数の通信手段の中から利用可能な通信手段の何れか１つを選択して前記発信側ユーザが前記着信側ユーザとの通信を行う通信システムであって、
前記着信側ユーザの前記第２の電話番号に対応する通信端末において、在席、離席、話中を含む前記着信側ユーザの複数の状態のそれぞれに対応させて、前記第２の電話番号に関連して設定された前記複数の通信手段のそれぞれに優先順位を設定する操作を事前に行っておくことにより、前記発信側ユーザが前記着信側ユーザとの通信を行う際に、前記発信側ユーザの前記第１の電話番号に対応する通信端末に、前記第２の電話番号に関連して設定された前記複数の通信手段のプレゼンス情報を優先順位付きで表示することを特徴とする優先順位付通信システム。
【請求項２】
前記着信側ユーザの前記第２の電話番号に対応する通信端末において前記第１の電話番号で特定される発信側ユーザに複数の属性の何れか１つを設定するとともに、前記複数の属性のそれぞれに対して公開可能な複数の通信手段を設定する操作を事前に行っておくことにより、前記発信側ユーザが前記着信側ユーザとの通信を行う際に、前記発信側ユーザの前記第１の電話番号に対応する通信端末に、前記第２の電話番号に関連して設定された前記発信側ユーザに公開可能な複数の通信手段のプレゼンス情報を優先順位付きで表示することを特徴とする請求項１記載の優先順位付通信システム。
【請求項３】
前記第１の電話番号と前記第２の電話番号との組み合わせにおける前記各通信手段の使用頻度に関する統計情報をシステム内に記録しておくことにより、前記発信側ユーザが前記着信側ユーザとの通信を行う際に、前記発信側ユーザの前記第１の電話番号に対応する通信端末に、前記第２の電話番号に対して設定された前記複数の通信手段のプレゼンス情報を前記統計情報における使用頻度の高い順に表示することを特徴とする請求項１または２記載の優先順位付通信システム。
【請求項４】
前記着信側ユーザに関する前記複数の状態の何れか１つと日時情報との組み合わせから成るスケジュール情報をシステム内に事前登録しておくことにより、前記スケジュール情報に基づいて当該日時情報の時刻に達したときに前記プレゼンス情報を自動更新することを特徴とする請求項１〜３の何れか１項記載の優先順位付通信システム。
【請求項５】
前記着信側ユーザに関する状態が他の状態に変更されるとき、前記着信側ユーザの前記第２の電話番号に対応する通信端末において、前記着信側ユーザの変更後の状態を設定する操作を行うことを特徴とする請求項１〜３の何れか１項記載の優先順位付通信システム。
【請求項６】
前記プレゼンス情報、前記統計情報および前記スケジュール情報は、前記発信側ユーザの前記第１の電話番号に対応する通信端末および前記着信側ユーザの前記第２の電話番号に対応する通信端末が属するネットワークに設けられたプレゼンスサーバに記録することを特徴とする請求項１〜４の何れか１項記載の優先順位付通信システム。
【請求項７】
前記第１の電話番号に対応する通信端末および前記第２の電話番号に対応する通信端末は、パーソナルコンピュータ連携通信端末であることを特徴とする請求項１〜６の何れか１項記載の優先順位付通信システム。
【発明の詳細な説明】
【技術分野】
【０００１】
本発明は、着信側ユーザの通信端末に関連して複数の通信手段が設定されており、かつ、前記複数の通信手段の現在の状況を示すプレゼンス情報が発信側ユーザの通信端末に表示されたときに前記複数の通信手段の中から利用可能な通信手段の何れか１つを選択して発信側ユーザが着信側ユーザとの通信を行う際に、前記複数の通信手段に設定した優先順位を表示することにより最適な通信手段を選択可能にした、優先順位付通信システムに関するものである。
【背景技術】
【０００２】
プレゼンス情報を利用するようにした通信システムの従来例としては、発信側ユーザと着信側ユーザとの間で通話を行う際に、着信側ユーザの通信端末に関連して設定された複数の通信手段を利用可能な通信システム（例えば特許文献１参照）がある。この従来例の通信システムは、第１の電話番号で特定される発信側ユーザと第２の電話番号で特定される着信側ユーザとの間で通信を行う際に、第２の電話番号に関連して複数の通信手段が設定されており、かつ、前記複数の通信手段の現在の状況を示すプレゼンス情報が発信側ユーザの第１の電話番号に対応する通信端末に表示されるようになっているため、第１の電話番号に対応する通信端末に表示されたプレゼンス情報を見た発信側ユーザが、着信側ユーザの状況を配慮して、前記複数の通信手段の利用可能な通信手段の何れか１つを選択することにより、着信側ユーザとの通信を行うことができる。
【０００３】
【特許文献１】特開２００３−１６９１３７号公報
【発明の開示】
【発明が解決しようとする課題】
【０００４】
上記従来例の通信システムでは、発信側ユーザと着信側ユーザとの間で通話を行う際に利用可能な通信手段が複数存在する場合であっても、それら複数の通信手段に優先順位が設定されていないため、発信側ユーザは前記複数の通信手段のどれが最適な通信手段であるかを把握することができないので、着信側ユーザにとって都合の悪い通信手段が選択されてしまうことがあり、その場合、着信側ユーザの業務等を妨げることになる。
【０００５】
本発明は、着信側ユーザとの通信を行う際に、発信側ユーザの通信端末に、利用可能な複数の通信手段のプレゼンス情報を優先順位付きで表示することにより、最適な通信手段を選択可能にした、優先順位付通信システムを提供することを目的とする。
【課題を解決するための手段】
【０００６】
上記目的を達成するため、請求項１に記載の第１発明は、第１の電話番号で特定される発信側ユーザと第２の電話番号で特定される着信側ユーザとの間で通信を行う際に、前記第２の電話番号に関連して複数の通信手段が設定されており、かつ、前記複数の通信手段の現在の状況を示すプレゼンス情報が前記発信側ユーザの前記第１の電話番号に対応する通信端末に表示されたときに前記複数の通信手段の中から利用可能な通信手段の何れか１つを選択して前記発信側ユーザが前記着信側ユーザとの通信を行う通信システムであって、前記着信側ユーザの前記第２の電話番号に対応する通信端末において、在席、離席、話中を含む前記着信側ユーザの複数の状態のそれぞれに対応させて、前記第２の電話番号に関連して設定された前記複数の通信手段のそれぞれに優先順位を設定する操作を事前に行っておくことにより、前記発信側ユーザが前記着信側ユーザとの通信を行う際に、前記発信側ユーザの前記第１の電話番号に対応する通信端末に、前記第２の電話番号に関連して設定された前記複数の通信手段のプレゼンス情報を優先順位付きで表示することを特徴とする。
【０００７】
請求項２に記載の第２発明は、前記着信側ユーザの前記第２の電話番号に対応する通信端末において前記第１の電話番号で特定される発信側ユーザに複数の属性の何れか１つを設定するとともに、前記複数の属性のそれぞれに対して公開可能な複数の通信手段を設定する操作を事前に行っておくことにより、前記発信側ユーザが前記着信側ユーザとの通信を行う際に、前記発信側ユーザの前記第１の電話番号に対応する通信端末に、前記第２の電話番号に関連して設定された前記発信側ユーザに公開可能な複数の通信手段のプレゼンス情報を優先順位付きで表示することを特徴とする。
【０００８】
請求項３に記載の第３発明は、前記第１の電話番号と前記第２の電話番号との組み合わせにおける前記各通信手段の使用頻度に関する統計情報をシステム内に記録しておくことにより、前記発信側ユーザが前記着信側ユーザとの通信を行う際に、前記発信側ユーザの前記第１の電話番号に対応する通信端末に、前記第２の電話番号に対して設定された前記複数の通信手段のプレゼンス情報を前記統計情報における使用頻度の高い順に表示することを特徴とする。
【０００９】
請求項４に記載の第４発明は、前記着信側ユーザに関する前記複数の状態の何れか１つと日時情報との組み合わせから成るスケジュール情報をシステム内に事前登録しておくことにより、前記スケジュール情報に基づいて当該日時情報の時刻に達したときに前記プレゼンス情報を自動更新することを特徴とする。
【００１０】
請求項５に記載の第５発明は、前記着信側ユーザに関する状態が他の状態に変更されるとき、前記着信側ユーザの前記第２の電話番号に対応する通信端末において、前記着信側ユーザの変更後の状態を設定する操作を行うことを特徴とする。
【００１１】
請求項６に記載の第６発明は、前記プレゼンス情報、前記統計情報および前記スケジュール情報は、前記発信側ユーザの前記第１の電話番号に対応する通信端末および前記着信側ユーザの前記第２の電話番号に対応する通信端末が属するネットワークに設けられたプレゼンスサーバに記録することを特徴とする。
【００１２】
請求項７に記載の第７発明は、前記第１の電話番号に対応する通信端末および前記第２の電話番号に対応する通信端末は、パーソナルコンピュータ連携通信端末であることを特徴とする。
【発明の効果】
【００１３】
第１発明によれば、着信側ユーザの第２の電話番号に対応する通信端末において、在席、離席、話中を含む前記着信側ユーザの複数の状態のそれぞれに対応させて、前記第２の電話番号に関連して設定された複数の通信手段のそれぞれに優先順位を設定する操作を事前に行っておくことにより、第１の電話番号で特定される発信側ユーザと第２の電話番号で特定される着信側ユーザとの間で通信を行う際に、前記発信側ユーザの前記第１の電話番号に対応する通信端末に、前記第２の電話番号に関連して設定された前記複数の通信手段の現在の状況を示すプレゼンス情報が優先順位付きで表示されるので、当該表示を見た発信側ユーザは、着信側ユーザの状況を配慮して、最適な通信手段を選択して着信側ユーザとの通信を行うことができるようになる。
【００１４】
第２発明によれば、着信側ユーザの第２の電話番号に対応する通信端末において第１の電話番号で特定される発信側ユーザに複数の属性の何れか１つを設定するとともに、前記複数の属性のそれぞれに対して公開可能な複数の通信手段を設定する操作を事前に行っておくことにより、第１の電話番号で特定される発信側ユーザと第２の電話番号で特定される着信側ユーザとの間で通信を行う際に、前記発信側ユーザの前記第１の電話番号に対応する通信端末に、前記第２の電話番号に関連して設定された前記複数の通信手段の中の前記発信側ユーザに公開可能な複数の通信手段の現在の状況を示すプレゼンス情報が優先順位付きで表示されるので、当該表示を見た発信側ユーザは、着信側ユーザの状況およびプライバシーを配慮して、最適な通信手段を選択して着信側ユーザとの通信を行うことができるようになる。
【００１５】
第３発明によれば、第１の電話番号と第２の電話番号との組み合わせにおける前記各通信手段の使用頻度に関する統計情報をシステム内に記録しておくことにより、第１の電話番号で特定される発信側ユーザと第２の電話番号で特定される着信側ユーザとの間で通信を行う際に、前記発信側ユーザの前記第１の電話番号に対応する通信端末に、前記第２の電話番号に対して設定された前記複数の通信手段のプレゼンス情報が前記統計情報における使用頻度の高い順に表示されるので、当該表示を見た発信側ユーザは、着信側ユーザの状況および前記各通信手段の使用頻度を配慮して、最適な通信手段を選択して着信側ユーザとの通信を行うことができるようになる。
【００１６】
第４発明によれば、着信側ユーザに関する前記複数の状態の何れか１つと日時情報との組み合わせから成るスケジュール情報をシステム内に事前登録しておくことにより、前記スケジュール情報に基づいて当該日時情報の時刻に達したときに前記プレゼンス情報が自動更新されるので、着信側ユーザの手間が軽減されることになる。
【００１７】
第５発明によれば、着信側ユーザに関する状態が他の状態に変更されるときに、前記着信側ユーザの前記第２の電話番号に対応する通信端末において、前記着信側ユーザの変更後の状態を設定する操作を行うことにより、前記プレゼンス情報をリアルタイムで変更することができるようになる。
【００１８】
第６発明によれば、前記プレゼンス情報、前記統計情報および前記スケジュール情報は、発信側ユーザの前記第１の電話番号に対応する通信端末および着信側ユーザの前記第２の電話番号に対応する通信端末が属するネットワークに設けられたプレゼンスサーバに記録されるので、当該ネットワークに属する通信端末同士の通信時には、前記プレゼンス情報、前記統計情報および前記スケジュール情報に基づいて、発信側ユーザは最適な通信手段を選択して着信側ユーザとの通信を行うことができるようになる。
【００１９】
第７発明によれば、前記第１の電話番号に対応する通信端末および前記第２の電話番号に対応する通信端末は、パーソナルコンピュータ連携通信端末（例えばＩＰソフトフォン）であるので、上述した設定等のための種々の操作を行ったり、第２の電話番号に関連して設定された前記複数の通信手段のプレゼンス情報を優先順位付きや発信者の属性の応じた制限付きでで表示したりするのに適した通信端末となる。
【発明を実施するための最良の形態】
【００２０】
以下、本発明を実施するための最良の形態を図面に基づき詳細に説明する。
図１は本発明の第１実施形態の優先順位付通信システムの概略構成を示す図である。本実施形態の優先順位付通信システムは、図１に示すように、ＩＰ構内交換機（以下、ＩＰ−ＰＢＸという）１と、ＩＰ−ＰＢＸ１にＬＡＮ２を介して接続される発信側通信端末３、着信側通信端末４およびプレゼンスサーバ５等を具備して成る。なお、本実施形態の優先順位付通信システムは、例えば、ある会社組織の所定の事業所内に構築されているものとする。
【００２１】
上記ＩＰ−ＰＢＸ１は、音声通話制御機能と電子メール（以下、Ｅメールという）等のデータ通信制御機能とを具備するものであり、本実施形態では、通信手段として、「内線電話番号」、「外線電話番号」、「携帯電話番号」による音声通話と、Ｅメールによるデータ通信と、インスタントメッセージ（以下、ＩＭという）によるデータ通信とが選択可能に構成されている。なお、本実施形態ではＩＰ−ＰＢＸを用いているが、代わりに、「音声通話制御機能のみを備える通常のＰＢＸと、パーソナルコンピュータ（以下、ＰＣという）等のデータ通信制御機能を備える端末との組み合わせ」や、呼制御サーバを用いることもできる。
【００２２】
上記発信側通信端末３は、例えば発信者側ユーザの席に設置されており、第１の電話番号（例えば内線電話番号１００１）が割り当てられているものとし、同様に、上記着信側通信端末４は、例えば着信者側ユーザの席に設置されており、第２の電話番号（例えば内線電話番号１１０１）が割り当てられているものとする。上記発信側通信端末３、着信側通信端末４としては、通常の音声通話機能の他、「文字情報の表示機能（その表示機能を実現するための、所定情報量の文字情報を表示可能な表示部）」と、「各種設定のための情報入力機能（その情報入力機能を実現するための、キーやマウス等の情報入力部）」と、「Ｅメール送受信機能」と、「ＩＭ送受信機能」とを具備する通信端末を用いる必要があり、本実施形態では、ＩＰソフトフォンを用いるものとする。なお、ＩＰソフトフォンとは、ＰＣ（または携帯情報端末；ＰＤＡ=Personal Digital Assistance）と、ハンドセットまたはヘッドセットと、通信制御アプリケーションとから成る、ＰＣ（またはＰＤＡ）連携通信端末である。
【００２３】
図２は、第１実施形態の優先順位付通信システムに使用するＩＰソフトフォンの表示部に表示されるアプリケーション画面を例示する図である。この図２は、ＩＰソフトフォンとして「富士通アイ・ネットワークシステムズ（株）製の、i-station30SP 」を用いて、「Call Manager」という通信制御アプリケーションを起動したときにＰＣのディスプレイ画面に表示される仮想電話機１１を示している。この仮想電話機１１は、一般的なＩＰ多機能電話機と同様な各種キー（テンキー１２、「電話帳」等の専用キー群１３、「発信」等の専用キー群１４、ファンクションキー群１５、電話帳展開キー１６）と、通話に関する情報を表示するための第１表示部１７と、電話帳に関連する情報を表示するための第２表示部１８等を具備して成る。
【００２４】
上記第２表示部１８は、電話帳展開キー１６の操作時に図示の位置に展開表示されるようになっており、電話帳展開キー１６の操作直後には、電話帳に登録済みの全ユーザに関する情報が一覧表示される一覧表示画面（図示せず）が表示され、その画面の中から所望のユーザを選択する操作（例えばマウスによるクリック操作）を行うことにより、選択されたユーザに関する情報が表示される個人表示画面（図示せず）に切り換わるように構成されている。個人表示画面では、選択されたユーザの名前および状態等が表示されるように構成されている。ユーザの状態としては、例えば図３に示すように、「在席」、「不在」、「離席」、「多忙」、「話中」が設定されており、「在席」にはアクティブ人物画像のアイコン、「不在」には非アクティブ人物画像のアイコン、「離席」には非アクティブ人物画像に所定のシンボル（椅子の絵）を加えたアイコン、「多忙」にはアクティブ人物画像に所定のシンボル（開いた手の絵）を加えたアイコン、「話中」にはアクティブ人物画像に所定のシンボル（電話機の絵）を加えたアイコンが割り当てられているので、図２に示すように選択されたユーザが在席の場合は、第２表示部１８には、当該ユーザの名前とともに、図３の「在席」に対応するアイコンが表示されることになる。なお、第２表示部１８の下部には、図示のように、ユーザの状態（この場合、「在席」）を文字で表示する領域と、ＩＰソフトフォンの状態（この場合、「オンライン」）を文字で表示する領域とが設けられている。
【００２５】
本実施形態では、上記第２表示部１８にさらに、図４に例示するようなプレゼンス情報を優先順位付きで表示するようにしている。上記プレゼンス情報は、着信側通信端末４のユーザである着信側ユーザが、自己の希望に応じて自己の各状態に対して設定するものであり、図４に示した例では、「在席」の場合は優先順位１が内線、優先順位２がＥメール、優先順位３がＩＭ、優先順位４が携帯電話に設定されており、「不在」の場合は優先順位１がＥメール、優先順位２が携帯電話に設定されており、「離席」の場合は優先順位１がＥメール、優先順位２が携帯電話に設定されており、「多忙」の場合は優先順位１がＥメール、優先順位２がＩＭ、優先順位３が内線、優先順位４が携帯電話に設定されており、「話中」の場合は優先順位１がＥメール、優先順位２がＩＭ、優先順位３が携帯電話に設定されている。したがって、図２に示すように着信側ユーザが「在席」の場合は、図４のプレゼンス情報の中の「在席」に対応する情報が第２表示部１８に表示されることになる。なお、その際、「内線」の近傍には対応する内線電話番号（図示せず）が表示され、「Ｅメール」の近傍には対応するメールアドレス（図示せず）が表示され、ＩＭの近傍には、予め「後でかけ直します。」等の定型メッセージが用意されたＩＭ入力画面を呼び出すボタン（図示せず）が表示され、「携帯」の近傍には対応する携帯電話番号（図示せず）が表示されるようになっている。
【００２６】
上記プレゼンスサーバ５は、発信側通信端末３、着信側通信端末４が属するネットワークの、例えばＩＰ−ＰＢＸ１の近傍に設置されており、上記プレゼンス情報を記録するとともに、後述する統計情報およびスケジュール情報等を記録するように構成されている。
【００２７】
次に、本実施形態の優先順位付通信システムにおける設定、表示、通信手段選択等の動作を説明する。
【００２８】
［プレゼンス情報の設定］
着信側ユーザが、自席に設置された着信側通信端末４（ＩＰソフトフォン）の仮想電話機１１の設定キーを押下することによりプレゼンス情報設定画面（図示せず）を表示した後、そのプレゼンス情報設定画面で、着信側ユーザの状態である「在席」、「不在」、「離席」、「多忙」、「話中」の各々について、着信側通信端末４の第２の電話番号（例えば内線電話番号１１０１）に関連して複数の通信手段（図４の場合、内線電話機、Ｅメール、ＩＭ、携帯電話の中の２つ以上）を設定するとともに、前記複数の通信手段のそれぞれに優先順位を設定する操作を、着信側通信端末４のキーボード等によって事前に行っておくと、プレゼンス情報設定情報がプレゼンスサーバ５に送信されるので、図４に示すプレゼンス情報がプレゼンスサーバ５に記録されることになる。
【００２９】
［状態情報の設定入力］
以下の（１）〜（３）の方法の何れかを用いて、着信側ユーザの現在の状態を示す状態情報をプレゼンスサーバ５に設定（更新）入力すると、図４に示すプレゼンス情報中の該当する状態の部分が選択された状態になる。このときの表示方式としては、「図４に示すプレゼンス情報中の該当する状態の部分のみを表示する」ものとするが、「図４に示すプレゼンス情報全体を表示して、該当する状態の部分をアクティブ表示する」ようにしてもよい。なお、本実施形態では、（１）および（３）の方法を用いるものとするが、必要に応じて、（２）の方法を併用してもよい。
【００３０】
（１）着信側通信端末４（ＩＰソフトフォン）において起動した通信制御アプリケーションによって、着信側ユーザの現在の状態が上記各状態の何れに該当するかを自動的に判定し、判定結果を当該着信側ユーザの状態情報としてプレゼンスサーバ５に自動送信して、設定（更新）入力する。その際の判定ロジックとしては、例えば、「ＩＰソフトフォンが起動され、ＩＰ−ＰＢＸ１にログインしているときは、在席である」、「ＩＰソフトフォンの起動が終了した場合は、不在である」、「ＩＰソフトフォンが起動され、ＩＰ−ＰＢＸ１にログインした後、一定時間キーボード入力が無い場合は、離席である」、「ＩＰソフトフォンが起動され、ＩＰ−ＰＢＸ１にログインしているときに、通話を行っている場合は、話中である」を用いる。なお、「多忙」の場合は、後述する（３）の手動操作によるものとする。
（２）着信側ユーザが、自席に設置された着信側通信端末４（ＩＰソフトフォン）の仮想電話機１１の所定キーを押下することによりスケジュール情報設定画面（図示せず）を表示した後、そのスケジュール情報設定画面で、着信側ユーザに関する複数の状態の何れか１つと日時情報との組み合わせから成るスケジュール情報を設定する操作を、着信側通信端末４のキーボード等によって事前に行っておくと、前記スケジュール情報に基づいて、当該日時情報の時刻に達したときに、プレゼンスサーバ５に記録されているプレゼンス情報における現在の状態が自動更新される。この（２）の方法は、予め自分のスケジュールが分かっている場合に実施することにより、（３）の方法のような操作を状態の変更が生じる度に行わなくて済むので、着信側ユーザの手間が軽減される利点がある。
（３）着信側ユーザが多忙になったとき（または多忙になることが予想されるとき）、自席に設置された着信側通信端末４（ＩＰソフトフォン）の仮想電話機１１の所定キーを押下することによりプレゼンス情報設定画面（図示せず）を表示した後、そのプレゼンス情報設定画面で、着信側ユーザの状態である「多忙」を設定する操作を、着信側通信端末４のキーボード等によって行うと、プレゼンスサーバ５に記録されているプレゼンス情報における現在の状態が、リアルタイムで「多忙」に手動更新される。なお、上記（１）を行わないシステムである場合は、着信側ユーザに関する状態が他の状態に変更されるときに、着信側ユーザが全ての変更後の状態を手動設定するものとする。
【００３１】
［発信側通信端末へのプレゼンス情報の表示］
プレゼンスサーバ５は、システム内の全ての通信端末（ＩＰソフトフォン）に、上記状態情報を盛り込んだプレゼンス情報を送信するので、例えば自席に設置された発信側通信端末３（ＩＰソフトフォン）が起動状態になっている場合には、発信側ユーザが、発信側通信端末３（ＩＰソフトフォン）の仮想電話機１１の電話帳展開キー１６を操作して第２表示部１８を展開表示することにより、第２表示部１８には、着信側ユーザの現在の状態（図５に示した例では話中）に対応するプレゼンス情報が優先順位付きで表示されることになる。その際、優先順位が付けられた選択可能な通信手段には選択可能マーク（白丸印）が付けられ、その中から選択した通信手段には、選択したことを示すマーク（黒丸印）が付けられるようになっている。なお、着信側ユーザの状態が変更された場合、変更後の状態がプレゼンス情報に反映されるので、発信側ユーザは、着信側ユーザの状態をリアルタイムで把握することができるようになっている。
【００３２】
［発信側通信端末での通信手段の選択］
発信側ユーザは、着信側通信端末４との通信を希望する場合に上記操作を行うことにより、第２表示部１８に表示される着信側ユーザの状態（図５に示す例の場合、話中）に対応するプレゼンス情報を見て、着信側ユーザの状態に配慮して、例えば優先順位１が付与されている「Ｅメール」を通信手段として選択するための選択情報を入力する操作を、発信側通信端末３のマウス等によって行う。これにより、発信側通信端末３からＩＰ−ＰＢＸ１に選択情報が送信される。
【００３３】
［選択された通信手段による通信］
選択情報を受信したＩＰ−ＰＢＸ１は、当該選択情報に対応する通信手段を選択して、選択された通信手段による通信指令を発する。この通話指令に応じて、選択された通信手段（着信側通信端末４の内線、外線、Ｅメール、ＩＭまたは着信側通信端末４に関連して設定された携帯電話機）に着信がなされ、以後、発信側通信端末３と選択された通信手段（図５に示した例の場合、Ｅメール）を用いて通信が行われる。
【００３４】
本実施形態の優先順位付通信システムによれば、着信側ユーザの第２の電話番号に対応する着信側通信端末４において、在席、不在、離席、多忙、話中を含む着信側ユーザの複数の状態のそれぞれに対応させて、第２の電話番号に関連して設定された複数の通信手段（内線、Ｅメール、ＩＭ、携帯電話）のそれぞれに優先順位を設定する操作を事前に行っておくことにより、第１の電話番号で特定される発信側ユーザと第２の電話番号で特定される着信側ユーザとの間で通信を行う際に、発信側ユーザの第１の電話番号に対応する発信側通信端末３に、前記複数の通信手段の現在の状況を示すプレゼンス情報が優先順位付きで表示されるので、その優先順位付きのプレゼンス情報を見た発信側ユーザは、着信側ユーザの状況を配慮して、最適な通信手段を選択して着信側ユーザとの通信を行うことができるようになり、業務効率が向上する。
【００３５】
図６は本発明の第２実施形態の優先順位付通信システムの概略構成を示す図であり、図７は第２実施形態の優先順位付通信システムで用いる、公開制限を付与したプレゼンス情報を例示する図である。本実施形態の優先順位付通信システムは、上記第１実施形態の優先順位付通信システムにおいて選択可能な通信手段として設定されていた複数の通信手段に、発信者の属性に応じた公開制限を加えるようにしたものであり、それ以外の部分は上記第１実施形態と同様に構成する。
本実施形態の優先順位付通信システムでは、着信側ユーザが、自席に設置された着信側通信端末４（ＩＰソフトフォン）によってプレゼンスサーバ５にプレゼンス情報設定情報を入力する際に、図６に示すように属性設定情報をさらに入力するようにしている。
【００３６】
次に、本実施形態の優先順位付通信システムにおける各種動作の内、上記第１実施形態と異なる動作を説明する。
【００３７】
［プレゼンス情報および属性情報の設定］
着信側ユーザが、上記第１実施形態と同様にしてプレゼンスサーバ５にプレゼンス情報設定情報を入力した後、着信側ユーザが、着信側通信端末４（ＩＰソフトフォン）の仮想電話機１１の所定キーを押下することにより属性情報設定画面（図示せず）を表示して、その属性情報設定画面で、発信側ユーザに、例えば図７に示すように「上司」、「部下」、「友人」、「関連部門外」という複数の属性の何れか１つを設定するとともに、それぞれの属性に対して、例えば図７に示すように公開可能な通信手段を設定する操作を、着信側通信端末４のキーボードやマウス等によって事前に行っておくと、発信側通信端末３の発信側ユーザの属性および各属性に対して公開可能な通信手段を示す属性設定情報がプレゼンスサーバ５に送信される。この属性設定情報は、プレゼンスサーバ５に記録されたプレゼンス情報に関連付けられるので、第１の電話番号で特定される発信側ユーザには、着信側ユーザが設定した属性が付与されることになる。
【００３８】
なお、図７に示す例では、「上司」および「友人」に対しては、選択可能な通信手段である、「内線」、「Ｅメール」、「ＩＭ」、「携帯電話」の全てが公開可能に設定されているが、「部下」に対しては、「携帯電話」が非公開に設定され、「関連部門外」に対しては、「ＩＭ」および「携帯電話」が非公開に設定されているため、公開制限が加えられている。
【００３９】
［発信側通信端末への公開制限付きプレゼンス情報の表示］
プレゼンスサーバ５は、システム内の全ての通信端末（ＩＰソフトフォン）に、上記状態情報および属性情報を盛り込んだプレゼンス情報を送信するので、例えば自席に設置された発信側通信端末３（ＩＰソフトフォン）が起動状態になっている場合には、発信側ユーザが、発信側通信端末３（ＩＰソフトフォン）の仮想電話機１１の電話帳展開キー１６を操作して第２表示部１８を展開表示することにより、第２表示部１８には、着信側ユーザの現在の状態に対応する公開制限付きプレゼンス情報が優先順位付きで表示されることになる（例えば発信側ユーザが「上司」である場合の「話中」の場合には図５に示すようになる）。その際、優先順位が付けられた選択可能な通信手段には選択可能マーク（白丸印）が付けられ、その中から選択した通信手段には、選択したことを示すマーク（黒丸印）が付けられるようになっている。なお、着信側ユーザの状態が変更された場合、変更後の状態がプレゼンス情報に反映されるので、発信側ユーザは、着信側ユーザの状態をリアルタイムで把握することができるようになっている。
【００４０】
本実施形態の優先順位付通信システムによれば、着信側ユーザの第２の電話番号に対応する着信側通信端末４において、在席、不在、離席、多忙、話中を含む着信側ユーザの複数の状態のそれぞれに対応させて、第２の電話番号に関連して設定された複数の通信手段（内線、Ｅメール、ＩＭ、携帯電話）のそれぞれに優先順位を設定する操作を事前に行った後に、着信側ユーザの第２の電話番号に対応する着信側通信端末４において第１の電話番号で特定される発信側ユーザに「上司」、「部下」、「友人」、「関連部門外」という複数の属性の何れか１つを設定するとともに、前記複数の属性のそれぞれに対して公開可能な複数の通信手段を設定する操作を事前に行っておくことにより、第１の電話番号で特定される発信側ユーザと第２の電話番号で特定される着信側ユーザとの間で通信を行う際に、発信側ユーザの第１の電話番号に対応する発信側通信端末３に、前記複数の通信手段の中の発信側ユーザに公開可能な複数の通信手段の現在の状況を示す公開制限付きプレゼンス情報が優先順位付きで表示されるので、その優先順位付きの公開制限付きプレゼンス情報を見た発信側ユーザは、着信側ユーザの状況およびプライバシーを配慮して、最適な通信手段を選択して着信側ユーザとの通信を行うことができるようになり、業務効率が向上するとともに着信側ユーザのプライバシーが保護されることになる。
【００４１】
図８は本発明の第３実施形態の優先順位付通信システムにおいて発信側通信端末のアプリケーション画面中に表示される並び替えたプレゼンス情報を例示する図である。本実施形態は、上記第１実施形態に対して、「発信側通信端末に表示されるプレゼンス情報における通信手段を後述する統計情報に基づいて並び替える変更」を加えたものであり、それ以外の部分は上記第１実施形態と同様に構成する。
【００４２】
本実施形態の優先順位付通信システムは、発信側通信端末３および着信側通信端末４の組み合わせ（第１の電話番号と第２の電話番号との組み合わせ）の通信における前記各通信手段の使用頻度に関する統計情報を、プレゼンスサーバ５に記録するように構成されており、第１の電話番号で特定される発信側ユーザと第２の電話番号で特定される着信側ユーザとの間で通信を行う際には、プレゼンスサーバ５に記録された統計情報を参照することにより、発信側ユーザの第１の電話番号に対応する通信端末３に、着信側通信端末４の第２の電話番号に対して設定された複数の通信手段のプレゼンス情報を前記統計情報における使用頻度の高い順に表示するようになっている。
図８に示す例は、第１の電話番号に対応する発信側通信端末３と第２の電話番号に対応する着信側通信端末４との組み合わせの通信（通話）において、例えば「多忙」のときに利用可能な複数の通信手段の使用頻度が、高い順に、「Ｅメール」、「内線」、「ＩＭ」、「携帯電話」となっていた場合には、図示左欄の優先順位高い順とは異なる並び順で、前記複数の通信手段のプレゼンス情報が優先順位付きで表示されることを示している。
【００４３】
本実施形態の優先順位付通信システムによれば、第１の電話番号と第２の電話番号との組み合わせにおける前記各通信手段の使用頻度に関する統計情報をプレゼンスサーバ５に記録しておくことにより、第１の電話番号で特定される発信側ユーザと第２の電話番号で特定される着信側ユーザとの間で通信を行う際に、発信側ユーザの第１の電話番号に対応する発信側通信端末３に、第２の電話番号に対して設定された前記複数の通信手段のプレゼンス情報が前記統計情報における使用頻度の高い順に表示されるので、当該表示を見た発信側ユーザは、着信側ユーザの状況および前記各通信手段の使用頻度を配慮して、最適な通信手段を選択して着信側ユーザとの通信を行うことができるようになり、業務効率が向上するとともに通信効率が向上する。
【００４４】
なお、上記各実施形態では、発信側ユーザの第１の電話番号に対応する発信側通信端末に、第２の電話番号に対して設定された複数の通信手段のプレゼンス情報を表示するようにしているが、代わりに、上記プレゼンス情報を音声ガイダンスとして音声表示することも原理的には可能である。
また、上記各実施形態では、上述した（１）〜（３）の方法の何れかを用いて、着信側ユーザの現在の状態を示す状態情報をプレゼンスサーバ５に設定（更新）入力するようにしているが、例えば着信側ユーザが所持するＧＰＳ付き携帯電話機から位置情報をプレゼンスサーバ５に入力して、上記状態情報を自動的に更新するようにすることも原理的には可能である。
【図面の簡単な説明】
【００４５】
【図１】本発明の第１実施形態の優先順位付通信システムの概略構成を示す図である。
【図２】第１実施形態の優先順位付通信システムに使用するＩＰソフトフォンの表示部に表示されるアプリケーション画面を例示する図である。
【図３】第１実施形態の優先順位付通信システムにおいて発信側通信端末のアプリケーション画面中に表示される着信側ユーザの状態に応じたアイコンを例示する図である。
【図４】第１実施形態の優先順位付通信システムに用いる優先順位付きプレゼンス情報を例示する図である。
【図５】第１実施形態の優先順位付通信システムにおいて発信側通信端末のアプリケーション画面中に表示される優先順位付きプレゼンス情報を例示する図である。
【図６】本発明の第２実施形態の優先順位付通信システムの概略構成を示す図である。
【図７】第２実施形態の優先順位付通信システムにおいて発信側通信端末のアプリケーション画面中に表示される公開制限付きプレゼンス情報を例示する図である。
【図８】本発明の第３実施形態の優先順位付通信システムにおいて発信側通信端末のアプリケーション画面中に表示される並び替えたプレゼンス情報を例示する図である。
【符号の説明】
【００４６】
１  ＩＰ構内交換機（ＩＰ−ＰＢＸ）
２  ＬＡＮ
３  発信側通信端末
４  着信側通信端末
５  プレゼンスサーバ
１１  仮想電話機
１２  各種キー
１３，１４  専用キー群
１５  ファンクションキー群
１６  電話帳展開キー
１７  第１表示部
１８  第２表示部
【図１】
2006157111.tif 000003
【図２】
2006157111.tif 000004
【図３】
2006157111.tif 000005
【図４】
2006157111.tif 000006
【図５】
2006157111.tif 000007
【図６】
2006157111.tif 000008
【図７】
2006157111.tif 000009
【図８】
2006157111.tif 000010